(57)【要約】【課題】一般家庭のリビング等に使用される扇風機において、ハンドルを把持して扇風機を持ち上げることなく、その場で回動させることで扇風機の向きを容易に変更でき、また扇風機を使用する際には、床面に対して基台部が固定できることを目的とする。【解決手段】基台部２の底面にキャスター１０を備えるとともに、キャスター１０は基台部２を其の場で回動させる場合にのみ回転するという構成にしたことにより、ハンドル７を把持して回動させることで扇風機１は其の場で容易に回動して向きを変更でき、また扇風機１を使用する場合にはキャスター１０は回転しないため、キャスター１０に輪留め機構を備えなくとも同様の効果を単純な構造で実現した扇風機を得られる。【選択図】図１
2015086737.tif 000002
【特許請求の範囲】
【請求項１】
基台部と、この基台部から上方へ伸びた支持部と、この支持部の先端に設けたモータ部と、このモータ部の前方側に装着したファンと、このファンを内包するガードと、前記モータ部から上方に伸びたハンドルと、前記基台部の底面に設け床面と接触する複数の回転体とからなり、前記回転体は、前記基台部を其の場で回動させようとする場合にのみ回転することを特徴とする扇風機。
【請求項２】
前記回転体の回転軸は、前記基台部の中心から外周へ放射状に伸びる直線と同一直線状に配したことを特徴とする請求項１に記載の扇風機。
【請求項３】
前記支持部を前記基台部の回動中心に対して前記ファンと反対方向にずらしたたことを特徴とする請求項１または２に記載の扇風機。
【発明の詳細な説明】
【技術分野】
【０００１】
本発明は、一般家庭に使用される扇風機に関するものである。
【背景技術】
【０００２】
従来、この種の扇風機は、夏季に家屋内において使用されるもので、軸流ファンを回転させて昇圧された空気を前方に送風し、その風を人間が浴びることで涼感を得るものであるが、近年では温度センサーやイオン発生器などの追加による多機能化、また首振り機構の複雑化により扇風機本体の重量が増える傾向にある。
【０００３】
このため家屋内において、其の場で扇風機を本体ごと持ち上げて向きを変更する際の負担が大きくなるため、扇風機本体の向きを変更する負担を軽減する目的で移動用のキャスターを備えた扇風機が知られている（例えば、特許文献１参照）。
【０００４】
以下、その移動用キャスター付扇風機について図４を参照しながら説明する。
【０００５】
図４に示すように、移動用キャスター１０１は前脚部１０２と後脚部１０３と、取付台１０４と、キャスター１０５と、ハンドル１０６とからなり、扇風機１０７を取付台１０４に備え、ハンドル１０６を手で握って回動する方向に力を加えることで床面に接するキャスター１０５の車輪が回転し、扇風機本体を持ち上げることなく其の場で回動させ、向きを変更することができる。
【先行技術文献】
【特許文献】
【０００６】
【特許文献１】実開昭６０−１８３９７号公報（第２頁、第３図）
【発明の概要】
【発明が解決しようとする課題】
【０００７】
このような従来の移動用キャスター付扇風機は、扇風機本体を持ち上げることなく向きを変更するのに便利である反面、例えば扇風機の風量が多い場合には風を押し出す反作用で扇風機本体が送風方向とは逆に動く可能性がある。
【０００８】
そのため、輪留め機構を備えた場合には輪留めの操作が都度必要となり煩雑になるという課題を有していた。
【０００９】
そこで本発明は、上記従来の課題を解決するものであり、扇風機を持ち上げることなく回動させて、本体の向きを変更するためのキャスターを備えつつも、扇風機を使用する際には風を押し出す反作用に対して輪留め機構として働く構成を容易に実現した回転用キャスター付扇風機を提供することを目的とする。
【課題を解決するための手段】
【００１０】
そして、この目的を達成するために、本発明は、基台部と、この基台部から上方へ伸びた支持部と、この支持部の先端に設けたモータ部と、このモータ部の前方側に装着したファンと、このファンを内包するガードと、前記モータ部から上方に伸びたハンドルと、前記基台部の底面に設け床面と接触する複数の回転体とからなり、前記回転体は、前記基台部を其の場で回動させようとする場合にのみ回転することを特徴とする扇風機としたものであり、これにより所期の目的を達成するものである。
【発明の効果】
【００１１】
本発明によれば、基台部を其の場で回動させようとする場合にのみ回転体が回転するという構成にしたことにより、ハンドルを把持して扇風機本体を持ち上げることなく回動させようとすると回転体は回転するが、扇風機を使用する場合、送風の反作用で扇風機本体が動こうとする場合には水平移動の力となり、回転体は回転しないので、扇風機本体を持ち上げることなく、其の場で回動する場合にはキャスターとして働き、扇風機を使用する場合には輪留め機構として働くという効果を得ることができる。
【図面の簡単な説明】
【００１２】
【図１】本発明の実施の形態１の扇風機の全体を示す側面図
【図２】同扇風機のキャスターの構成を示す斜視図
【図３】同扇風機のキャスターの基台部への取付を示す底面図
【図４】従来の扇風機を示す側面図
【発明を実施するための形態】
【００１３】
本発明の請求項１記載の扇風機は、基台部と、この基台部から上方へ伸びた支持部と、この支持部の先端に設けたモータ部と、このモータ部の前方側に装着したファンと、このファンを内包するガードと、前記モータ部から上方に伸びたハンドルと、前記基台部の底面に設け床面と接触する複数の回転体とからなり、前記回転体は、前記基台部を其の場で回動させようとする場合にのみ回転するという構成を有する。これにより、前記ハンドルを把持して前記扇風機を其の場で回動させることはできるが、水平移動はできないので、前記扇風機を持ち上げることなく、其の場で容易に前記扇風機の向きを変えることができるとともに、送風による反作用で前記扇風機が動いてしまうのを防止できるという効果を奏する。
【００１４】
また、前記回転体の回転軸は、前記基台部の中心から外周へ放射状に伸びる直線と同一直線状に配した構成にしてもよい。これにより、前記回転体の回転方向と回動の周方向成分のベクトルが一致するので、前記扇風機を其の場で回動させるのに必要な力を効率よく前記回転体へ伝えられるという効果を奏する。
【００１５】
また、前記支持部を前記基台部の回動中心に対して前記ファンと反対方向にずらした構成にしても良い。これにより、前記基台部の回転中心から前記支持部までのトルクが発生するので、前記ハンドルを把持した回動に必要な力を抑えることができるという効果を奏する。
【００１６】
以下、本発明の実施の形態について図面を参照しながら説明する。
【００１７】
（実施の形態１）
図１に示すように、扇風機１は、基台部２と、支持部３と、モータ部４と、ファン５と、ガード６と、ハンドル７と、キャスター１０とを備えている。
【００１８】
基台部２は、円板形状で、基台部２の上面には、上方へ伸びた柱状の支持部３を備えている。支持部３の先端には、モータ部４を設けている。
【００１９】
モータ部４の前方側には、ファン５を備え、このファン５は、ガード６に覆われている。モータ部４の上面には、上方に伸びたハンドル７を備えている。このハンドル７は、下方が開口したＣの字形状で、手でつかめるものである。
【００２０】
基台部２の底面には、キャスター１０を設けている。図２に示すように、キャスター１０は、円柱形状の回転軸９と、この回転軸９に固定された車輪部となるローラー８とからなる。
【００２１】
また、キャスター１０は基台部２の底面に設けられた窪みである凹部１１に回動自在に嵌め込まれる。図３に示すように、キャスター１０は基台部２の回転の中心点から半径Ｒに環状に均等な間隔で複数個（例えば６個）備えたものであり、またローラー８の回転軸９と、作図円の正接線とのなす垂線が同一直線状となるように設けている。
【００２２】
このような構成によれば、扇風機１を持ち上げることなくハンドル７を把持して回動させることで、床面と接するローラー８が回転することで、其の場で基台部２を回動させ、容易に扇風機１の向きを大きく変えることができる。
【００２３】
また、扇風機１を使用する際には送風方向に対して反作用の力が加わり、扇風機１は送風方向とは逆方向へ移動しようとするが、このような水平方向の力に対して複数個を設けたローラー８はいずれかが水平方向の力を妨げる向きとなっており、キャスター１０に輪留め機構を備えなくとも、同様の効果を単純な構造で得ることができる。
【００２４】
また、基台部中心線１２は支持部３の中心軸となる支持部中心線１３との間に距離Ｌを設けている。つまり、支持部中心線１３は、基台部中心線１２より後方へ距離Ｌ離れている。
【００２５】
すなわち、このときハンドル７の回動の力を基台部２へ伝える支持部３は、回動の中心となる中心軸との間に距離Ｌがあるため、回動の力と距離Ｌとの積によるトルクが発生し、より小さな力で基台部２を回動させられるとともに、ローラー８の回転方向と基台部２の回動の周方向成分のベクトルが同一直線状となるため、効率よく回転の力をローラー８へ伝えて、扇風機１を其の場で回動させることができる。
【００２６】
また、ハンドル７と基台部中心線１２との距離は、支持部中心線１３と基台部中心線１２との距離より短いものである。これにより、更に効率よく、ハンドル７の回転の力をローラー８へ伝えて、扇風機１を其の場で回動させることができる。なお、最も効率よく、ハンドル７の回転の力をローラー８へ伝えて、扇風機１を其の場で回動させることができる構成は、ハンドル７が、基台部２の回転中心となる基台部中心線１２と略同一直線状に位置するものである。
【産業上の利用可能性】
【００２７】
本発明にかかる扇風機は、基台部の底面にキャスターを設けて扇風機を其の場で回動させる場合にのみローラーが回転することを可能とするものであるので、一般的な家庭に使用されるリビング扇風機等として有用である。
【符号の説明】
【００２８】
１  扇風機
２  基台部
３  支持部
４  モータ部
５  ファン
６  ガード
７  ハンドル
８  ローラー
９  回転軸
１０  キャスター
１１  凹部
１２  基台部中心線
１３  支持部中心線
【図１】
2015086737.tif 000003
【図２】
2015086737.tif 000004
【図３】
2015086737.tif 000005
【図４】
2015086737.tif 000006